(57)【要約】【課題】胴部が筒状で底面が三角形に形成されていて、目新しく充分な登場感が得られ、胴部を折り畳んで平坦な状態で保管でき、店舗などで簡単に組み立てられる容器を提供する。【解決手段】左前面板１と右前面板２、後面板３が縦方向の折罫を介して連結され、筒状で底面が三角形に形成された胴部を有する容器であって、後面板に、左右中央で山折りするための縦方向の折り畳み用折罫４が設けられ、後面板の上端に設けられた蓋面板７にも、折り畳み用折罫から延長された蓋面折罫８が設けられている。更に、底部は、右前面板の下端に折罫を介し、胴部の下端開放端を塞ぐ床面板１１が設けられ、左前面板の下端に底面板が、左前面板と右前面板と床面板の交点から折り畳み用折罫に向かう直線に至るまで設けられ、該直線の位置に設けられた折罫を介して底面貼着板が設けられ、底面貼着板が床面板に貼着されていて、折り畳めるようになっている。【選択図】図１
2017024766.tif 000002
【特許請求の範囲】
【請求項１】
左前面板と右前面板、後面板が縦方向の折罫を介して連結され、筒状で底面が三角形に形成された胴部を有する容器であって、
前記後面板に、左右中央で山折りするための縦方向の折り畳み用折罫が設けられていることを特徴とする容器。
【請求項２】
前記後面板の上端に折罫を介して蓋面板が設けられ、該蓋面板に前記折り畳み用折罫から延長された蓋面折罫が設けられていることを特徴とする請求項１に記載の容器。
【請求項３】
前記左前面板と前記右前面板の一方の下端に折罫を介し、前記胴部の下側開放端を塞ぐ床面板が設けられ、他方の下端に折罫を介して底面板が、前記左前面板と前記右前面板と前記床面板の交点から前記折り畳み用折罫に向かう直線に至るまで設けられ、該直線の位置に設けられた折罫を介して底面貼着板が設けられ、該底面貼着板が前記床面板に貼着されていることを特徴とする請求項１または２に記載の容器。
【請求項４】
前記床面板に折罫を介して、前記後面板に沿うように形成された後面補助片が設けられていることを特徴とする請求項３に記載の容器。
【請求項５】
前記後面板が、前記左前面板と前記右前面板から折罫を介してそれぞれ設けられた左後面板と右後面板とからなり、前記左後面板と前記右後面板が重ね合わせて貼着されていることを特徴とする請求項１から４のいずれか１項に記載の容器。
【請求項６】
前記後面板に、前記蓋面板の先端を差し込み係止する開放係止用切れ目線が設けられ、前記胴部の上側開放端を開いた状態で維持できることを特徴とする請求項２から５のいずれか１項に記載の容器。
【請求項７】
前記左前面板と前記右前面板に、それぞれ前端下方より後方上端にかけて左補助折罫と右補助折罫が設けられていることを特徴とする請求項１から６のいずれか１項に記載の容器。
【請求項８】
前記左前面板と前記右前面板に、それぞれ前端下方より後方上端にかけて左補助折罫と右補助折罫が設けられ、前記左補助折罫と前記右補助折罫で囲まれる範囲に、前記蓋面板の先端を差し込み係止する閉塞係止用切れ目線が設けられ、前記胴部の上側開放端を覆った状態で維持できることを特徴とする請求項２に記載の容器。
【発明の詳細な説明】
【技術分野】
【０００１】
本発明は、容器に関するものである。特に、店舗などで食品を入れて販売し、食器に移し替えなくとも、そのまま容器から食することのできるようにした容器に関するものである。
【背景技術】
【０００２】
コンビニエンスストアーなどの店頭で、フライドポテト、から揚げ、フライドポテトなどのホットスナックが販売されている。これらは調理加熱されて、紙カップ容器などに入れて販売されていた。
【０００３】
ところが紙カップ容器は、空の状態でも場所をとり、また、コストのこともあり、最近では厚紙などで形成されていて、保管時には折り畳めて、平坦にでき、簡便でコスト的にも有利な容器が求められるようになってきた。
【０００４】
このような折り畳められた平坦な容器では、店舗で起こして立体化させる作業が必要になってくるが、コンビニエンスストアーなどでは、店員のほとんどがアルバイトやパート従業員で構成されており、作業スキルも一定しないため、極力簡単な工程で容器が完成することが望ましい。
【０００５】
一方、コンビニエンスストアーなどでは、商品の入れ替え、新商品の投入が極めて短期間で回転しており、特に新商品については、登場感、店頭陳列時のインパクトが強いものが求められている。
【０００６】
目新しく充分な登場感が得られる容器形状としては、三角形の筒状の容器が考えられる。そして、底面が正三角形に近い形であれば、持つのに容器の方向性を考える必要がなく、男性、女性の性別、大人、子供の手のサイズに拘わらず極めて持ちやすい。
【０００７】
このような、三角形の筒状の容器としては、用途は異なるが、特許文献１に記載された「装飾効果の優れた箱」がある。この箱は、図９の展開図に示すようなブランクを組み立てて形成する。
【０００８】
この従来の箱のブランクは、右側板２１と、左側板２２と、背板２３、及び、折込板２４とが横に連設され、右側板２１と左側板２２との下縁には三角形の底板２５．２６がそれぞれ連設され、これらの縁には差込片２５ａ、２６ａが設けられ、右側板２１の側縁には差込片２１ａ、２１ｂが上下に設けられている。背板２３と、折込板２４との境界には右側板２１の差込片２１ａ、２１ｂを挿入係止する切り込みＭ、Ｎがそれぞれ設けられている。
【０００９】
そして、この箱を組み立てるには、まず折込片２４を内側に折り曲げ、左側板２２も内側に折り曲けると共に、右側板２１を内側に折り曲げてその差込片２１ａ、２１ｂを切り込みＭ、Ｎにそれぞれ挿入係止すれば断面三角形の筒状胴部を形成することかでき、更に底部２５を内側に折り曲げてその差込片２５ａを挿入し、底板２６も内側に折り曲げでその差込片２６ａを底板２５と背板２３との間に差し込めば底部を形成する。これにより、筒状胴部と底部が組み立てられる。
【００１０】
この様に、上述の箱は、ブランクの状態から貼着することなく差し込むだけで組み立てることができるが、コンビニエンスストアーなどで組み立てるには手間と時間がかかりす
ぎる。そのため、あらかじめ胴部は筒状になるように貼着して、この状態で折り畳んで平坦にしておき、販売するときに簡単に組み立てられる容器が要求されている。
【００１１】
公知文献を以下に示す。
【先行技術文献】
【特許文献】
【００１２】
【特許文献１】実開平１−１７９１５号公報
【発明の概要】
【発明が解決しようとする課題】
【００１３】
本発明は上記のような事情に鑑みてなされたもので、胴部が筒状で底面が三角形に形成されていて、目新しく充分な登場感が得られ、胴部を折り畳んで平坦な状態で保管でき、店舗などで簡単に組み立てられる容器を提供することを課題としている。
【課題を解決するための手段】
【００１４】
本発明は係る課題に鑑みなされたものであり、請求項１の発明は、左前面板と右前面板、後面板が縦方向の折罫を介して連結され、筒状で底面が三角形に形成された胴部を有する容器であって、
前記後面板に、左右中央で山折りするための縦方向の折り畳み用折罫が設けられていることを特徴とする容器である。
【００１５】
本発明の容器は、以上のような構成であって、左前面板と右前面板、後面板が縦方向の折罫を介して連結され、胴部が筒状で底面が三角形に形成されているので、目新しく充分な登場感が得られ、胴部の底面が三角形に形成されていても、後面板に、左右中央で山折りするための縦方向の折り畳み用折罫が設けられているので、折り畳まれた平坦な容器で保管することができ、店舗などで簡単に組み立てることができる。
【００１６】
本発明の請求項２の発明は、前記後面板の上端に折罫を介して蓋面板が設けられ、該蓋面板に前記折り畳み用折罫から延長された蓋面折罫が設けられていることを特徴とする請求項１に記載の容器である。
【００１７】
本発明は、後面板の上端に折罫を介して蓋面板が設けられ、該蓋面板に前記折り畳み用折罫から延長された蓋面折罫が設けられているので、蓋面板が設けられていても、折り畳まれた平坦な容器で保管でき、店舗などで簡単に組み立てられる。
【００１８】
本発明の請求項３の発明は、前記左前面板と前記右前面板の一方の下端に折罫を介し、前記胴部の下側開放端を塞ぐ床面板が設けられ、他方の下端に折罫を介して底面板が、前記左前面板と前記右前面板と前記床面板の交点から前記折り畳み用折罫に向かう直線に至るまで設けられ、該直線の位置に設けられた折罫を介して底面貼着板が設けられ、該底面貼着板が前記床面板に貼着されていることを特徴とする請求項１または２に記載の容器である。
【００１９】
本発明は、上記の構成であるので、三角形状の底面が、胴部を折り畳むときに、床面板が内側に折り返され、床面板に貼着されている底面貼着板も内側に折り返され、同時に折り畳むことができ、組み立てるときには、胴部の組み立てと同時に自動的に、床面板と底面板が重なり合って平らになり、底面が簡単に組み立てられる。
【００２０】
本発明の請求項４の発明は、前記床面板に折罫を介して、前記後面板に沿うように形成された後面補助片が設けられていることを特徴とする請求項３に記載の容器である。
【００２１】
本発明は、床面板に折罫を介して、後面板に沿うように形成された後面補助片が設けられているので、胴部、底面の組み立てるときに、同時に後面補助片が後面板に沿うようになり、収納した内容物が零れ落ちることがない。
【００２２】
本発明の請求項５の発明は、前記後面板が、前記左前面板と前記右前面板から折罫を介してそれぞれ設けられた左後面板と右後面板とからなり、前記左後面板と前記右後面板が重ね合わせて貼着されていることを特徴とする請求項１から４のいずれか１項に記載の容器である。
【００２３】
本発明は、後面板が左後面板と右後面板とからなり、左後面板と右後面板を重ね合わせて貼着されているので、それぞれの形状を変えたり、表面装飾を変えたりして、更に、目新しく充分な登場感が得られる。
【００２４】
本発明の請求項６の発明は、前記後面板に、前記蓋面板の先端を差し込み係止する開放係止用切れ目線が設けられ、前記胴部の上側開放端を開いた状態で維持できることを特徴とする請求項２から５のいずれか１項に記載の容器である。
【００２５】
本発明は、後面板に、記蓋面板の先端を差し込み係止する開放係止用切れ目線が設けられているので、胴部の上側開放端を開いた状態で維持でき、蓋面板が邪魔にならず、食べやすい。
【００２６】
本発明の請求項７の発明は、前記左前面板と前記右前面板に、それぞれ前端下方より後方上端にかけて左補助折罫と右補助折罫が設けられていることを特徴とする請求項１から６のいずれか１項に記載の容器である。
【００２７】
本発明は、左前面板と右前面板に、それぞれ前端下方より後方上端にかけて左補助折罫と右補助折罫が設けられ、それらで囲まれる部分を後に倒すことができ、それによって胴部の前端部分の上部が左右に開き、内容物を収納しやすく、取り出しやすくなる。また、上端開口部が五角形あるいは六角形になり、商品としての登場感が極めて優れている。
【００２８】
本発明の請求項８の発明は、前記左前面板と前記右前面板に、それぞれ前端下方より後方上端にかけて左補助折罫と右補助折罫が設けられ、前記左補助折罫と右補助折罫で囲まれる範囲に、前記蓋面板の先端を差し込み係止する閉塞係止用切れ目線が設けられ、前記胴部の上側開放端を覆った状態で維持できることを特徴とする請求項２に記載の容器である。
【００２９】
本発明は、左前面板と右前面板に、それぞれ前端下方より後方上端にかけて左補助折罫と右補助折罫が設けられ、左補助折罫と右補助折罫で囲まれる範囲に、蓋面板の先端を差し込み係止する閉塞係止用切れ目線が設けられているので、閉塞係止用切れ目線が、後ろ側に傾いた左補助折罫と右補助折罫で囲まれる範囲に設けられることになり、蓋面板の先端を差し込むときに容易にできる。
【発明の効果】
【００３０】
本発明の容器は、胴部が筒状で底面が三角形に形成されていて、目新しく充分な登場感が得られ、胴部を折り畳んで平坦な状態で保管でき、店舗などで簡単に組み立てることができる。
【図面の簡単な説明】
【００３１】
【図１】本発明の容器の一例を模式的に斜視で示した説明図である。
【図２】本発明の容器の一例を模式的に底面で示した説明図である。
【図３】本発明の容器の一例で、蓋面板で上端開口部を覆い、係止した状態を模式的に斜視で示した説明図である。
【図４】本発明の容器の一例で、蓋面板を後面板に係止した状態を模式的に背面側から斜視で示した説明図である。
【図５】本発明の容器の一例のブランクを模式的に示した説明図である。
【図６】本発明の容器の一例の組み立てかたを模式的に示した説明図である。
【図７】本発明の容器の一例の組み立てかたを模式的に示した説明図である。
【図８】本発明の容器の一例の組み立てかたを模式的に示した説明図である。
【図９】従来の容器の一例を模式的に展開図で示した説明図である。
【発明を実施するための形態】
【００３２】
以下、本発明を実施するための形態について説明する。
図１は、本発明の容器の一例を模式的に斜視で示した説明図、図２は、本発明の容器の一例を模式的に底面で示した説明図である。
【００３３】
本例の容器は、図１の斜視図に示すように、左前面板１と右前面板２、後面板３が縦方向の折罫を介して連結され、筒状で底面が三角形に形成された胴部を有していて、後面板３に、左右中央で山折りするための縦方向の折り畳み用折罫４が設けられている。これにより、折り畳み用折罫４で後面板３を半分に折り畳み、左前面板１と右前面板２を、間の縦方向の折罫で折り畳んで、胴部を折り畳むことができる。
【００３４】
後面板３は、左前面板１から折罫を介して設けられた左後面板３ａと右前面板２から折罫を介して設けられた右後面板３ｂとからなっている。本例においては、右後面板３ｂに折り畳み用折罫４が設けられて、左後面板３ａは折り畳み用折罫４の手前までの後面板３全体のおよそ半分の大きさで設けられている。左後面板３ａは右後面板３ｂの内側になっていて、左後面板３ａと右後面板３ｂは貼着されている。
【００３５】
胴部の左前面板１と右前面板２には、それぞれ前端下端より後方上端にかけて左補助折罫５と右補助折罫６が設けられていて、左補助折罫５と右補助折罫６で囲まれた範囲を、後ろ側に倒すようになっている。
【００３６】
これにより、胴部の前端部分の上部が左右に開き、内容物を収納しやすく、取り出しやすくなっている。また、上端開口部が五角形あるいは六角形になり、商品としての登場感が極めて優れている。
【００３７】
後面板３の上端には、折罫を介して蓋面板７が設けられていて、蓋面板７には折り畳み用折罫４から延長された蓋面折罫８が設けられている。蓋面折罫８により、後面板３を折り畳み用折罫４で折るときに、蓋面板７も折ることができて、折り畳んで平坦な容器にすることができる。
【００３８】
蓋面板７も、左後面板３ａの上端に折罫を介して設けられた左蓋面板７ａと、右後面板３ｂの上端に折罫を介して設けられた右蓋面板７ｂとからなっている。本例においては、右蓋面板７ｂに蓋面折罫８が設けられている。左蓋面板７ａは蓋面折罫８の手前までの蓋面板７全体のおよそ半分の大きさで設けられている。後面板３に合わせて、左蓋面板７ａが右蓋面板７ｂの内側になっていて、左蓋面板７ａと右蓋面板７ｂは貼着されている。
【００３９】
また、蓋面板７には横方向の蓋曲げ折罫９が設けられている。蓋曲げ折罫９は、左蓋面板７ａと右蓋面板７ｂに設けられている。蓋曲げ折罫９は、胴部の左前面板１と右前面板２の間の折罫を横断するように閉塞係止用切れ目線１０を設けておいて、蓋面板７の先端
を差し込んで係止するときに、蓋面板７の先端を下に向けられるようにしている。
【００４０】
左補助折罫５と右補助折罫６が設けられ、左補助折罫５と右補助折罫６で囲まれた範囲が、後ろ側に倒されていると、蓋面板７の先端を閉塞係止用切れ目線１０に差し込むときに、差し込みやすい。
【００４１】
底部は、右前面板２の下端に折罫を介し床面板１１が設けられていて、床面板１１は胴部の下側開放端を塞ぐように三角形になっている。また、床面板１１には、下側開放端を塞いだときに、後面板３に沿うように形成された後面補助片１２が折罫を介して設けられている。
【００４２】
後面補助片１２を設け、後面板３に沿うようにすることによって、後面板３と床面板１１の間に隙間ができないようにして、収納した内容物が漏れたり零れたりしないようにしている。
【００４３】
左前面板１の下端には、図２の底面図に示すように、折罫を介して、底面板１３が設けられている。底面板１３は、左前面板１と右前面板２と床面板１３の交点から折り畳み用折罫４に向かう直線に至るまで設けられ、この直線の位置に折罫が設けられ、この折罫を介して、底面貼着片１４が設けられ、底面貼着片１４の内面が底面板１３の外面に貼着されている。
【００４４】
このようになっているので、胴部を折り畳むときには、三角形の床面板１１が、内側から右前面板２に沿うように折り返され、床面板１１に貼着された底面貼着片１４が一緒に持ち上げられ、底面貼着片１４に折罫を介して設けられた底面板１３が、内側から左前面板１に沿うように折り返され、底面が折り畳まれ、容器全体として、平坦に折り畳むことができる。
【００４５】
また、平坦に折り畳まれた容器から、胴部を筒状に開き容器を組み立てるときには、胴部を開くのに伴って、底面板１３と底面貼着片１４が平らになって行き、また、底面貼着片１４に貼着された床面板１１も、胴部の下側開放端を塞ぐようになり、また、後面補助片１２も後面板３に沿うように下がってきて、最終的に、床面板１１と底面板１３が重なり合って平らになり、後面補助片１２が後面板３に沿うようになり、胴部を筒状に開いて組み立てると、自動的に底面が組み立てられる。
【００４６】
図３は、本発明の容器の一例で、蓋面板で上端開口部を覆い、係止した状態を模式的に斜視で示した説明図、図４は、本発明の容器の一例で、蓋面板を後面板に係止した状態を模式的に背面側から斜視で示した説明図である。
【００４７】
前述したように、左補助折罫５と右補助折罫６で囲まれる範囲に、閉塞係止用切れ目線１０が設けられていて、図３の斜視図のように、蓋面板７を前側に倒して、蓋曲げ折罫９で屈曲させ、蓋面板７の先端を閉塞係止用切れ目線１０に差し込み、胴部の上側開放端を覆った状態で維持することができる。
【００４８】
尚、図３でわかるように、右蓋面板７ｂは、左端縁が波型に形成され、左蓋面板７ａの左端部まで達しないように形成されている。このように、蓋面板７が、左蓋面板７ａと右蓋面板７ｂで形成されているので、外側に重ねられた部分の形状を変えて意匠性を高め、目新しく充分な登場感が得られるようにすることができる。また、図３では見えないが、後面板３も同様な形状になっている。
【００４９】
また、後面板３には開放係止用切れ目線１５が設けられていて、図４の背面側からの斜
視図のように、蓋面板７を後ろ側に倒し、湾曲させて、蓋面板７の先端を開放係止用切れ目線１５より係止して、胴部の上側開放端を開いた状態で維持することができる。
【００５０】
以下、本例の容器の製造方法について説明する。
図５は、本発明の容器の一例のブランクを模式的に示した説明図、図６から図８は、本発明の容器の一例の組み立てかたを模式的に示した説明図である。
【００５１】
本例の容器は、板紙などの腰のあるシートを用いた、図５に示すブランクを組み立てて製造することができる。図の一点鎖線は折罫を示す。
【００５２】
図の中央左右に、左前面板１と右前面板２が設けられている。左前面板１と右前面板２にはそれぞれ左補助折罫５と右補助折罫６が図の中央下端より、それぞれ外側に向かって上端に至るように設けられている。また、閉塞係止用切れ目線１０が左補助折罫５と右補助折罫６で囲まれた範囲に中央の折罫（左前面板１と右前面板２の間の折罫）を横断するように設けられている。
【００５３】
左前面板１の左側には、折罫を介して後面板３を構成する左後面板３ａが設けられている。また、左後面板３ａの上端には折罫を介して蓋面板７を構成する左蓋面板７ａが設けられている。そして、左蓋面板７ａには横方向の折罫の蓋曲げ折罫９が設けられている。
【００５４】
右前面板２の右側には、折罫を介して後面板３を構成する右後面板３ｂが設けられている。また、右後面板３ｂの上端には折罫を介して蓋面板７を構成する右蓋面板７ｂが設けられている。そして、右蓋面板７ｂにも横方向の折罫の蓋曲げ折罫９が設けられている。
【００５５】
右後面板３ｂには、縦方向の折罫の折り畳み用折罫４が設けられていて、右蓋面板７ｂには、折り畳み用折罫４から延長された蓋面折罫８が設けられている。この折り畳み用折罫４と蓋面折罫８を折ることによって、容器の胴部と蓋部を折り畳むことができる。また、開放係止用切れ目線１５が右後面板３ｂの右端より内方に伸び、下方に折り曲がって設けられている。
【００５６】
左前面板１の下端には、折罫を介して底面板１３が設けられていて、更に折罫を介して底面貼着片１４が設けられている。右前面板２の下端には、折罫を介して床面板１１が設けられていて、更に折罫を介して後面補助片１２が設けられている。
【００５７】
床面板１１は、胴部の下側開放端を塞げるように、略正三角形状になっている。底面貼着片１４は、床面板１１を上側に折り返したときに右後面板３ｂに重ならないように、また、床面板１１が下側開放端を塞いだときに、左前面板１に当たらないように形成されている。
【００５８】
底面板１３は、底面板１３と左前面板１の間の折罫と、底面板１３と底面貼着片１４の間の折罫とがなす角度が、床面板１１の左下の端縁と、床面板１１と右前面板２の間の折罫とがなす角度の半分になるように形成されている。そして、床面板１１の半分を覆う程度大きさになっている。底面貼着片１４は、容器を組み立てて床面板１１と底面板１３が重なり合ったときに、床面板１１をはみ出さない大きさで設けられている。
【００５９】
このブランクから容器を製造するには、まず、図６のように、図５のブランクを左右方向で裏返して、右前面板２と床面板１１の間の折罫で折り返して、床面板１１と後面補助片１２を内側に折る。また、左前面板１と底面板１３の間の折罫で折り返して、底面板１３を内側に折り、更に底面板１３と底面貼着片１４の間の折罫で折り返して、底面貼着片１４を反対側に折り返す。
【００６０】
次に、底面貼着片１４の裏面（図６で見えてる面）に接着剤を着け、左前面板１と右前面板２の間の折罫で内側が重なるように（左後面板３ａを右後面板３ｂに重なるように）折ると、図７のようになる。このとき、底面貼着片１４が床面板１１に貼着される。
【００６１】
そして、右後面板３ｂと右蓋面板７ｂを折り畳み用折罫４と蓋面折罫８で折って、折罫より右側の部分をそれぞれ、左後面板３ａと左蓋面板７ａの上に重ねて貼着させる。この貼着と、底面貼着片１４の貼着は、同時に行うことができる。このようにすると図８のような、平坦に折り畳まれた容器が完成する。保管や輸送に当たってはこの状態で行えば、平坦になっているので嵩張らず、場所を取らないので便利である。
【００６２】
このような平坦にした状態から、店舗などで食品などの内容物を入れるために、組み立てるには、左前面板１と右前面板２を離れるように開き、折り畳み用折罫４と蓋面折罫８の左右が平らになるように、後面板３と蓋面板７を延ばし、胴部を開く。
【００６３】
このようにすると、胴部を開くのに伴って、底面板１３と底面貼着片１４が平らになって行き、また、底面貼着片１４に貼着された床面板１１も、胴部の下側開放端を塞ぐように移動する。
【００６４】
また、後面補助片１２も後面板３に沿うように下がってきて、最終的に、床面板１１と底面板１３が重なり合って平らになり、後面補助片１２が後面板３に沿うようになり、胴部を筒状に開いて組み立てると、自動的に底面が組み立てられる。
【００６５】
そして、左前面板１と右前面板２の左補助折罫５と右補助折罫６で囲まれた部分を後ろ側に内側に押して倒すと、図１や図２のような本例の容器が組み立てられる。
【００６６】
以上のように、本発明の容器は、胴部が筒状で底面が三角形に形成されていて、目新しく充分な登場感が得られ、折り畳んで平坦な状態で保管でき、店舗などで簡単に組み立てることができる。
【符号の説明】
【００６７】
１・・・左前面板
２・・・右前面板
３・・・後面板
３ａ・・・左後面板
３ｂ・・・右後面板
４・・・折り畳み用折罫
５・・・左補助折罫
６・・・右補助折罫
７・・・蓋面板
７ａ・・・左蓋面板
７ｂ・・・右蓋面板
８・・・蓋面折罫
９・・・蓋曲げ折罫
１０・・・閉塞係止用切れ目線
１１・・・床面板
１２・・・後面補助片
１３・・・底面板
１４・・・底面貼着片
１５・・・開放係止用切れ目線
【図１】
2017024766.tif 000003
【図２】
2017024766.tif 000004
【図３】
2017024766.tif 000005
【図４】
2017024766.tif 000006
【図５】
2017024766.tif 000007
【図６】
2017024766.tif 000008
【図７】
2017024766.tif 000009
【図８】
2017024766.tif 000010
【図９】
2017024766.tif 000011